(57)【要約】      （修正有）【課題】素体にクラックが発生するのを抑制すると共に、直流抵抗を低減することが可能な積層型コモンモードフィルタを提供する。【解決手段】第一コイル導体２１は、第一コイル部と、第一コイル部の外側端と第一端子電極とを接続する第一引出部２１ｂと、を有する。第二コイル導体２３は、第二コイル部と、第二コイル部の外側端と第二端子電極とを接続する第二引出部２３ｂと、を有する。第一引出導体３１は、一端が第一コイル導体２１の内側端と接続され、他端が第三端子電極に接続される。第二引出導体３３は、一端が第二コイル導体２３の内側端と接続され、他端が第四端子電極に接続される。第一及び第二引出部２１ｂ，２３ｂとは、複数の絶縁体層の積層方向から見て互いに重なる領域を有さない。第一及び第二引出導体３１，３３は、第一及び第二引出部２１ｂ，２３ｂよりも幅広である。【選択図】図８
2015035464.tif 000002
【特許請求の範囲】
【請求項１】
複数の絶縁体層が積層された素体と、
前記素体の外表面に配置された第一、第二、第三、及び第四端子電極と、
渦巻き状の第一コイル部と、前記第一コイル部の外側端と前記第一端子電極とを接続する第一引出部と、を有する第一コイル導体と、
前記複数の絶縁体層の積層方向で前記第一コイル部と対向する渦巻き状の第二コイル部と、前記第二コイル部の外側端と前記第二端子電極とを接続する第二引出部と、を有する第二コイル導体と、
一端が前記第一コイル導体の内側端とスルーホール導体を通して接続され、他端が前記第三端子電極に接続される第一引出導体と、
一端が前記第二コイル導体の内側端とスルーホール導体を通して接続され、他端が前記第四端子電極に接続される第二引出導体と、を備え、
前記第一引出部と前記第二引出部とは、前記積層方向から見て、互いに重なる領域を有しておらず、
前記第一及び第二引出導体は、前記第一及び第二引出部よりも幅広であることを特徴とする積層型コモンモードフィルタ。
【請求項２】
前記第一引出部と前記第二引出部とは、その長さが同等であることを特徴とする請求項１に記載の積層型コモンモードフィルタ。
【請求項３】
前記第一引出部は、前記第一コイル部の前記外側端から前記第一コイル部の外側に向けて延びる第一部分と、前記第一部分から前記第一コイル部の巻回方向に対し後側に向けて延びる第二部分と、を含み、
前記第二引出部は、前記第二コイル部の前記外側端から前記第二コイル部の外側に向けて延びる第三部分と、前記第三部分から前記第二コイル部の巻回方向に対し前側に向けて延びる第四部分と、を含み、
前記第一部分が、前記積層方向から見て、前記第一端子電極と前記第二端子電極との間の中点を通り且つ前記第一端子電極と前記第二端子電極とが並ぶ方向に直交する方向に延びる直線上に位置していることを特徴とする請求項２に記載の積層型コモンモードフィルタ。
【請求項４】
前記素体は、前記第一及び第二コイル導体が配置され且つ前記複数の絶縁体層として複数の非磁性体層が積層された非磁性体部と、前記非磁性体部を前記積層方向で挟むよう配置され且つ磁性材料からなる一対の磁性体部と、前記積層方向から見て前記第一及び第二コイル導体の内側に位置するように前記非磁性体部内に配置され且つ磁性材料からなる磁性芯部と、を有することを特徴とする請求項１〜３のいずれか一項に記載の積層型コモンモードフィルタ。
【発明の詳細な説明】
【技術分野】
【０００１】
本発明は、積層型コモンモードフィルタに関する。
【背景技術】
【０００２】
積層型コモンモードフィルタとして、複数の絶縁体層が積層された素体と、素体の外表面に配置された第一、第二、第三、及び第四端子電極と、渦巻き状の第一コイル部と、第一コイル部の外側端と第一端子電極とを接続する第一引出部と、を有する第一コイル導体と、複数の絶縁体層の積層方向で第一コイル部と対向する渦巻き状の第二コイル部と、第二コイル部の外側端と第二端子電極とを接続する第二引出部と、を有する第二コイル導体と、一端が第一コイル導体の内側端とスルーホール導体を通して接続され、他端が第三端子電極に接続される第一引出導体と、一端が第二コイル導体の内側端とスルーホール導体を通して接続され、他端が第四端子電極に接続される第二引出導体と、を備えるものが知られている（たとえば、特許文献１参照）。
【先行技術文献】
【特許文献】
【０００３】
【特許文献１】特開２０１１−１１４６２７号公報
【発明の概要】
【発明が解決しようとする課題】
【０００４】
本発明は、素体にクラックが発生するのを抑制すると共に、直流抵抗を低減することが可能な積層型コモンモードフィルタを提供することを目的とする。
【課題を解決するための手段】
【０００５】
本発明に係る積層型コモンモードフィルタは、複数の絶縁体層が積層された素体と、素体の外表面に配置された第一、第二、第三、及び第四端子電極と、渦巻き状の第一コイル部と、第一コイル部の外側端と第一端子電極とを接続する第一引出部と、を有する第一コイル導体と、複数の絶縁体層の積層方向で第一コイル部と対向する渦巻き状の第二コイル部と、第二コイル部の外側端と第二端子電極とを接続する第二引出部と、を有する第二コイル導体と、一端が第一コイル導体の内側端とスルーホール導体を通して接続され、他端が第三端子電極に接続される第一引出導体と、一端が第二コイル導体の内側端とスルーホール導体を通して接続され、他端が第四端子電極に接続される第二引出導体と、を備え、第一引出部と第二引出部とは、積層方向から見て、互いに重なる領域を有しておらず、第一及び第二引出導体は、第一及び第二引出部よりも幅広であることを特徴とする。
【０００６】
素体にクラックが発生する原因として、素体内に生じる応力が挙げられる。積層型コモンモードフィルタは、通常、焼成過程を経ることにより得られる。焼成過程では、素体が焼結して収縮していくタイミングと、素体内に配置される導体（第一及び第二コイル導体並びに第一及び第二引出導体など）が焼結して収縮していくタイミングが異なるため、素体に応力が生じることとなる。特に、複数の導体が互いに近づいて配置されている場合、素体には、各導体に引っ張られる方向に大きな応力が発生するため、素体にクラックが生じやすい。特に、導体同士が上記積層方向で互いに重なり合っている場合、素体同士間の距離が短くなり、より大きな応力が発生し易い。
【０００７】
本発明に係る積層型コモンモードフィルタでは、第一引出部と第二引出部とは、積層方向から見て、互いに重なる領域を有していない。このため、第一引出部と第二引出部とが離れて位置することとなり、素体における第一引出部と第二引出部との間に位置する領域に発生する応力が小さくなる。この結果、素体にクラックが発生するのを抑制することができる。
【０００８】
本発明では、第一及び第二引出導体が、第一及び第二引出部よりも幅広であるため、直流抵抗を低減することができる。
【０００９】
第一引出導体は、第一コイル導体の内側端に対応する位置から素体の外表面まで伸び、第二引出導体は、第二コイル導体の内側端に対応する位置から素体の外表面まで伸びている。第一及び第二引出導体が幅広であることにより、焼成過程において、収縮する量が大きくなり素体に大きな応力が生じる可能性がある。しかしながら、第一及び第二引出導体は、対応するコイル導体の内側端に対応する位置から素体の外表面までの比較的広い範囲にわたって配置されるため、生じる応力が分散され、応力が集中するのを抑制することができる。この結果、クラックが素体に発生し難い。
【００１０】
第一及び第二引出部は、対応するコイル部の外側端から素体の外表面までの比較的狭い範囲にわたって配置されるため、第一及び第二引出部が幅広とされた場合、応力が集中し、素体にクラックが発生する懼れがある。しかしながら、本発明では、第一及び第二引出導体が第一及び第二引出部よりも幅広である、すなわち、第一及び第二引出部が第一及び第二引出導体よりも幅狭であることから、生じる応力が小さく、また、上述したように、第一引出部と第二引出部とが離れて位置していることから、クラックが素体に発生し難い。
【００１１】
本発明では、第一引出部と第二引出部とは、その長さが同等であってもよい。この場合、第一コイル導体と第二コイル導体とで、その線路長にばらつきが生じ難い。したがって、第一コイル導体と第二コイル導体との特性バラつき（たとえば、インピーダンスのばらつきなど）が生じるのを抑制することができる。
【００１２】
本発明では、第一引出部は、第一コイル部の外側端から第一コイル部の外側に向けて延びる第一部分と、第一部分から第一コイル部の巻回方向に対し後側に向けて延びる第二部分と、を含み、第二引出部は、第二コイル部の外側端から第二コイル部の外側に向けて延びる第三部分と、第三部分から第二コイル部の巻回方向に対し前側に向けて延びる第四部分と、を含み、第一部分が、積層方向から見て、第一端子電極と第二端子電極との間の中点を通り且つ第一端子電極と第二端子電極とが並ぶ方向に直交する方向に延びる直線上に位置していてもよい。この場合、第一及び第二引出部のパターン（形状）を複雑にすることなく、第一引出部と第二引出部との長さを確実に同等に設定できる。
【００１３】
本発明では、素体は、第一及び第二コイル導体が配置され且つ複数の絶縁体層として複数の非磁性体層が積層された非磁性体部と、非磁性体部を積層方向で挟むよう配置され且つ磁性材料からなる一対の磁性体部と、積層方向から見て第一及び第二コイル導体の内側に位置するように非磁性体部に配置され且つ磁性材料からなる磁性芯部と、を有していてもよい。この場合、第一コイル導体と第二コイル導体との間の磁気結合をより一層高めることができる。
【発明の効果】
【００１４】
本発明によれば、素体にクラックが発生するのを抑制すると共に、直流抵抗を低減することが可能な積層型コモンモードフィルタを提供することができる。
【図面の簡単な説明】
【００１５】
【図１】本発明の実施形態に係る積層型コモンモードフィルタを示す斜視図である。
【図２】素体の構成を示す分解斜視図である。
【図３】素体の断面構成を説明するための図である。
【図４】第一コイル導体を示す平面図である。
【図５】第二コイル導体を示す平面図である。
【図６】第一引出導体を示す平面図である。
【図７】第一引出導体を示す平面図である。
【図８】第一及び第二コイル導体並びに第一及び第二引出導体を重ねて示した図である。
【図９】第一コイル導体の変形例を示す平面図である。
【図１０】第二コイル導体の変形例を示す平面図である。
【図１１】第一及び第二コイル導体の変形例を重ねて示した図である。
【図１２】本実施形態の変形例に係る積層型コモンモードフィルタアレイを示す斜視図である。
【図１３】素体の構成を示す分解斜視図である。
【発明を実施するための形態】
【００１６】
以下、添付図面を参照して、本発明の好適な実施形態について詳細に説明する。なお、説明において、同一要素又は同一機能を有する要素には、同一符号を用いることとし、重複する説明は省略する。
【００１７】
図１〜図３を参照して、本実施形態に係る積層型コモンモードフィルタＣＦ１の構成を説明する。図１は、本実施形態に係る積層型コモンモードフィルタを示す斜視図である。図２は、素体の構成を示す分解斜視図である。図３は、素体の断面構成を説明するための図である。図３に示された断面構成は、図８における二点鎖線に沿った断面構成に対応している。
【００１８】
積層型コモンモードフィルタＣＦ１は、図１〜図３に示されるように、素体１と、素体１の外表面に配置される第一〜第四端子電極１１〜１４と、を備えている。素体１は、非磁性体部３と、素体１の高さ方向で非磁性体部３を挟むように配置された一対の磁性体部５と、を有している。
【００１９】
素体１は、略直方体形状を呈している。素体１は、その外表面として、互いに対向する略長方形状の第一及び第二主面１ａ，１ｂと、互いに対向する第一及び第二側面１ｃ，１ｄと、互いに対向する第三及び第四側面１ｅ，１ｆと、を有している。素体１の長手方向は、第一側面１ｃと第二側面１ｄとの対向方向である。素体１の幅方向は、第三側面１ｅと第四側面１ｆとの対向方向である。素体１の高さ方向は、第一主面１ａと第二主面１ｂとの対向方向である。
【００２０】
第一及び第二側面１ｃ，１ｄは、第一及び第二主面１ａ，１ｂの間を連結するように第一主面１ａと第二主面１ｂとの対向方向に延びている。第一及び第二側面１ｃ，１ｄは、第三側面１ｅと第四側面１ｆとの対向方向（第一及び第二主面１ａ，１ｂの短辺方向）にも延びている。第三及び第四側面１ｅ，１ｆは、第一及び第二主面１ａ，１ｂの間を連結するように第一主面１ａと第二主面１ｂとの対向方向に延びている。第三及び第四側面１ｅ，１ｆは、第一側面１ｃと第二側面１ｄとの対向方向（第一及び第二主面１ａ，１ｂの長辺方向）にも延びている。
【００２１】
非磁性体部３では、図２にも示されるように、複数の非磁性体層４が積層されている。すなわち、非磁性体部３は、積層された複数の非磁性体層４により構成されている。本実施形態では、非磁性体部３は、５層の非磁性体層４により構成されている。各磁性体部５では、図２にも示されるように、複数の磁性体層６が積層されている。すなわち、磁性体部５は、積層された複数の磁性体層６により構成されている。
【００２２】
各非磁性体層４は、絶縁体層であり、たとえば非磁性材料（Ｃｕ−Ｚｎ系フェライト材料、誘電体材料、又はガラスセラミック材料など）を含むセラミックグリーンシートの焼結体から構成される。各磁性体層６は、絶縁体層であり、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。実際の素体１では、各非磁性体層４及び各磁性体層６は、層間の境界が視認できない程度に一体化されている。素体１の高さ方向、すなわち第一主面１ａと第二主面１ｂとの対向方向は、複数の非磁性体層４の積層方向及び複数の磁性体層６の積層方向（以下、単に「積層方向」と称する。）と一致する。
【００２３】
第一端子電極１１及び第二端子電極１２は、素体１の第一側面１ｃ側に配置されている。第一端子電極１１及び第二端子電極１２は、第一側面１ｃの一部を第一及び第二主面１ａ，１ｂの対向方向に沿って覆うように、第一及び第二主面１ａ，１ｂにわたって形成されている。第一端子電極１１は、第三側面１ｅ側に位置し、第二端子電極１２は、第四側面１ｆ側に位置している。
【００２４】
第三端子電極１３及び第四端子電極１４は、素体１の第二側面１ｄ側に配置されている。第三端子電極１３及び第四端子電極１４は、第二側面１ｄの一部を第一及び第二主面１ａ，１ｂの対向方向に沿って覆うように、第一及び第二主面１ａ，１ｂにわたって形成されている。第三端子電極１３は、第三側面１ｅ側に位置し、第四端子電極１４は、第四側面１ｆ側に位置している。
【００２５】
各端子電極１１〜１４は、導電材（たとえば、Ａｇ又はＰｄなど）を含んでいる。各端子電極１１〜１４は、導電性材料（たとえば、Ａｇ粉末又はＰｄ粉末など）を含む導電性ペーストの焼結体として構成される。各端子電極１１〜１４の表面にはめっき層が形成されている。めっき層は、たとえば電気めっきにより形成される。電気めっきには、Ｃｕ，Ｎｉ，Ｓｎ又はＮｉ，Ｓｎなどが用いられる。
【００２６】
積層型コモンモードフィルタＣＦ１は、図２及び図３に示されるように、第一コイル導体２１、第二コイル導体２３、第一引出導体３１、及び第二引出導体３３を、非磁性体部３内に備えている。第一及び第二コイル導体２１，２３並びに第一及び第二引出導体３１，３３は、積層方向において、第一引出導体３１、第一コイル導体２１、第二コイル導体２３、第二引出導体３３の順に配置されている。各導体２１，２３，３１，３３は、導電材（たとえば、Ａｇ又はＰｄなど）を含んでいる。各導体２１，２３，３１，３３は、導電性材料（たとえば、Ａｇ粉末又はＰｄ粉末など）を含む導電性ペーストの焼結体として構成される。
【００２７】
第一コイル導体２１は、図４にも示されるように、第一コイル部２１ａと、第一引出部２１ｂと、第一パッド部２１ｃと、有している。第一コイル導体２１は、積層方向に隣り合う一対の非磁性体層４の間に配置されている。第一コイル導体２１と第二コイル導体２３とは、互いに磁気結合する。
【００２８】
第一コイル部２１ａは、渦巻き状であり、所定の方向に巻回された形状を呈している。第一引出部２１ｂは、一端が第一コイル部２１ａの外側端に接続され、他端が第一側面１ｃに露出している。第一引出部２１ｂは、第一側面１ｃに露出している他端で第一端子電極１１に接続されている。すなわち、第一引出部２１ｂは、第一コイル部２１ａの外側端と第一端子電極１１とを接続している。
【００２９】
第一引出部２１ｂは、第一部分２１ｂ１と、第二部分２１ｂ２と、を含んでいる。第一部分２１ｂ１は、第一コイル部２１ａの外側端から第一コイル部２１ａの外側に向けて延びている。本実施形態では、第一部分２１ｂ１は、第一側面１ｃと第二側面１ｄとの対向方向に延びている。第二部分２１ｂ２は、第一部分２１ｂ１の端から第一コイル部２１ａの巻回方向に対し後側に向けて延びている。本実施形態では、第二部分２１ｂ２は、第一部分２１ｂ１の端から、第三側面１ｅと第四側面１ｆとの対向方向のうち第四側面１ｆから第三側面１ｅに向かう方向に延びている。第一引出部２１ｂは、更に部分２１ｂ３を含んでいる。部分２１ｂ３は、第二部分２１ｂ２の端から第一側面１ｃに向けて延びており、第一側面１ｃに露出している。
【００３０】
第一パッド部２１ｃは、第一コイル部２１ａの内側に位置している。第一パッド部２１ｃは、第一コイル部２１ａ及び第一引出部２１ｂの幅よりも大きい直径を有する円形状を呈している。第一コイル導体２１は、第一コイル部２１ａの内側端と第一パッド部２１ｃとを接続する第一接続部２１ｄを有している。すなわち、第一コイル部２１ａと第一パッド部２１ｃとは、第一接続部２１ｄを通して接続されている。第一接続部２１ｄは、第一コイル部２１ａの内側端から第三側面１ｅと第四側面１ｆとの対向方向に延びている。本実施形態では、第一パッド部２１ｃが、第一コイル導体２１の内側端を構成している。
【００３１】
第二コイル導体２３は、図５にも示されるように、第二コイル部２３ａと、第二引出部２３ｂと、第二パッド部２３ｃと、有している。第二コイル導体２３は、積層方向に隣り合う一対の非磁性体層４の間に配置されている。第一コイル導体２１と第二コイル導体２３とは、積層方向で非磁性体層４を介して互いに隣り合っている。
【００３２】
第二コイル部２３ａは、渦巻き状であり、所定の方向に巻回された形状を呈している。第二コイル部２３ａは、積層方向で第一コイル部２１ａと対向している。第二引出部２３ｂは、一端が第二コイル部２３ａの外側端に接続され、他端が第一側面１ｃに露出している。第二引出部２３ｂは、第一側面１ｃに露出している他端で第二端子電極１２に接続されている。すなわち、第二引出部２３ｂは、第二コイル部２３ａの外側端と第二端子電極１２とを接続している。
【００３３】
第二引出部２３ｂは、第三部分２３ｂ１と、第四部分２３ｂ２と、を含んでいる。第三部分２３ｂ１は、第二コイル部２３ａの外側端から第二コイル部２３ａの外側に向けて延びている。第四部分２３ｂ２は、第三部分２３ｂ１の端から第二コイル部２３ａの巻回方向に対し前側に向けて延びている。本実施形態では、第四部分２３ｂ２は、第三部分２３ｂ１の端から、第三側面１ｅと第四側面１ｆとの対向方向のうち第三側面１ｅから第四側面１ｆに向かう方向に延びている。第二引出部２３ｂは、更に部分２３ｂ３を含んでいる。部分２３ｂ３は、第四部分２３ｂ２の端から第一側面１ｃに向けて延びており、第一側面１ｃに露出している。
【００３４】
第二パッド部２３ｃは、第二コイル部２３ａの内側に位置している。第二パッド部２３ｃは、第二コイル部２３ａ及び第二引出部２３ｂの幅よりも大きい直径を有する円形状を呈している。第二コイル導体２３は、第二コイル部２３ａの内側端と第二パッド部２３ｃとを接続する第二接続部２３ｄを有している。すなわち、第二コイル部２３ａと第二パッド部２３ｃとは、第二接続部２３ｄを通して接続されている。本実施形態では、第二パッド部２３ｃが、第二コイル導体２３の内側端を構成している。
【００３５】
第二接続部２３ｄは、部分２３ｄ１と部分２３ｄ２とを含んでいる。部分２３ｄ１は、第一コイル部２１ａの内側端から第三側面１ｅと第四側面１ｆとの対向方向に延びている。すなわち、部分２３ｄ１は、第一接続部２１ｄに平行な方向に延びている。部分２３ｄ１は、第一側面１ｃと第二側面１ｄとの対向方向で見て、第一接続部２１ｄよりも、第一側面１ｃ寄りに位置している。部分２３ｄ２は、部分２３ｄ１の端から、第三側面１ｅと第四側面１ｆとの対向方向と交差する方向に延びている。すなわち、部分２３ｄ２は、部分２３ｄ１が延びる方向と交差する方向に延びている。部分２３ｄ２は、部分２３ｄ１と第二パッド部２３ｃとを接続している。本実施形態では、部分２３ｄ２は、部分２３ｄ１の端から第二パッド部２３ｃに近づくにつれて、第二側面１ｄに近づくように延びている。
【００３６】
第一引出導体３１は、図６にも示されるように、第三パッド部３１ａと、第三引出部３１ｂと、有している。第一引出導体３１は、積層方向に隣り合う一対の非磁性体層４の間に配置されている。第一コイル導体２１と第一引出導体３１とは、積層方向で非磁性体層４を介して互いに隣り合っている。
【００３７】
第三パッド部３１ａは、積層方向から見て、第一パッド部２１ｃと重なり合うように位置している。すなわち、第三パッド部３１ａと第一パッド部２１ｃとが積層方向で非磁性体層４を介して互いに隣り合っている。第三パッド部３１ａは、第一パッド部２１ｃと略同じ大きさを有する円形状を呈している。第一パッド部２１ｃと第三パッド部３１ａとは、第一スルーホール導体４１を介して接続されている。第一スルーホール導体４１は、第一パッド部２１ｃと第三パッド部３１ａとの間に位置する非磁性体層４を貫通している。
【００３８】
第三引出部３１ｂは、一端が第三パッド部３１ａに接続され、他端が第二側面１ｄに露出している。第三引出部３１ｂは、第二側面１ｄに露出している他端で第三端子電極１３に接続されている。すなわち、第三引出部３１ｂは、第三パッド部３１ａと第三端子電極１３とを接続している。これにより、第一端子電極１１と第三端子電極１３とが、第一コイル導体２１、第一スルーホール導体４１、及び第一引出導体３１を通して電気的に接続される。第三パッド部３１ａは、第一引出導体３１の一端を構成している。
【００３９】
第三引出部３１ｂは、第一引出部分３１ｂ１と、第二引出部分３１ｂ２と、第三引出部分３１ｂ３と、を含んでいる。第一引出部分３１ｂ１は、第三パッド部３１ａから第一側面１ｃと第二側面１ｄとの対向方向に延びている。第二引出部分３１ｂ２は、第一引出部分３１ｂ１の端から、第三側面１ｅと第四側面１ｆとの対向方向のうち第四側面１ｆから第三側面１ｅに向かう方向に延びている。第三引出部分３１ｂ３は、第二引出部分３１ｂ２の端から第二側面１ｄに向けて延びており、第二側面１ｄに露出している。本実施形態では、第三引出部分３１ｂ３は、第一側面１ｃと第二側面１ｄとの対向方向に延びている。第三引出部３１ｂの第三引出部分３１ｂ３は、第一引出導体３１の他端を構成している。
【００４０】
第二引出導体３３は、図７にも示されるように、第四パッド部３３ａと、第四引出部３３ｂと、有している。第二引出導体３３は、積層方向に隣り合う一対の非磁性体層４の間に配置されている。第二コイル導体２３と第二引出導体３３とは、積層方向で非磁性体層４を介して互いに隣り合っている。
【００４１】
第四パッド部３３ａは、積層方向から見て、第二パッド部２３ｃと重なり合うように位置している。すなわち、第四パッド部３３ａと第二パッド部２３ｃとが積層方向で非磁性体層４を介して互いに隣り合っている。第四パッド部３３ａは、第二パッド部２３ｃと略同じ大きさを有する円形状を呈している。第二パッド部２３ｃと第四パッド部３３ａとは、第二スルーホール導体４３を介して接続されている。第二スルーホール導体４３は、第二パッド部２３ｃと第四パッド部３３ａとの間に位置する非磁性体層４を貫通している。
【００４２】
第四引出部３３ｂは、一端が第四パッド部３３ａに接続され、他端が第二側面１ｄに露出している。第四引出部３３ｂは、第二側面１ｄに露出している他端で第四端子電極１４に接続されている。すなわち、第四引出部３３ｂは、第四パッド部３３ａと第四端子電極１４とを接続している。これにより、第二端子電極１２と第四端子電極１４とが、第二コイル導体２３、第二スルーホール導体４３、及び第二引出導体３３を通して電気的に接続される。第四パッド部３３ａは、第二引出導体３３の一端を構成している。
【００４３】
第四引出部３３ｂは、第四引出部分３３ｂ１と、第五引出部分３３ｂ２と、第六引出部分３３ｂ３と、を含んでいる。第四引出部分３３ｂ１は、第四パッド部３３ａから第一側面１ｃと第二側面１ｄとの対向方向に延びている。第五引出部分３３ｂ２は、第四引出部分３３ｂ１の端から、第三側面１ｅと第四側面１ｆとの対向方向のうち第三側面１ｅから第四側面１ｆに向かう方向に延びている。第六引出部分３３ｂ３は、第五引出部分３３ｂ２の端から第二側面１ｄに向けて延びており、第二側面１ｄに露出している。本実施形態では、第六引出部分３３ｂ３は、第一側面１ｃと第二側面１ｄとの対向方向に延びている。第四引出部３３ｂの第六引出部分３３ｂ３は、第二引出導体３３の他端を構成している。
【００４４】
第一及び第二スルーホール導体４１，４３は、導電材（たとえば、Ａｇ又はＰｄなど）を含んでいる。第一及び第二スルーホール導体４１，４３は、導電性材料（たとえば、Ａｇ粉末又はＰｄ粉末など）を含む導電性ペーストの焼結体として構成される。第一及び第二スルーホール導体４１，４３は、対応する非磁性体層４を構成することとなるセラミックグリーンシートに形成された貫通孔に充填された導電性ペーストが焼結することにより形成される。
【００４５】
積層型コモンモードフィルタＣＦ１は、図２及び図４〜図７に示されるように、磁性芯部５１を備えている。磁性芯部５１は、積層方向から見て、第一コイル導体２１と第二コイル導体２３との内側に位置するように非磁性体部３に配置されている。磁性芯部５１は、非磁性体部３を貫通しており、積層方向での端面それぞれが磁性体部５に接している。磁性芯部５１は、柱形状（本実施形態では、円柱形状）を呈している。磁性芯部５１は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。
【００４６】
第二コイル導体２３の第二接続部２３ｄは、図８にも示されるように、積層方向から見て、第一コイル導体２１の第一パッド部２１ｃ及び第一接続部２１ｄと、磁性芯部５１と、の間に位置している。第一及び第三パッド部２１ｃ，３１ａと、第二及び第四パッド部２３ｃ，３３ａと、は、積層方向から見て、第三側面１ｅと第四側面１ｆとの対向方向に並んでいる。第一及び第三パッド部２１ｃ，３１ａと、磁性芯部５１と、は、積層方向から見て、第一側面１ｃと第二側面１ｄとの対向方向に並んでいる。第二及び第四パッド部２３ｃ，３３ａと、磁性芯部５１と、も、積層方向から見て、第一側面１ｃと第二側面１ｄとの対向方向に並んでいる。したがって、第一及び第三パッド部２１ｃ，３１ａと第二及び第四パッド部２３ｃ，３３ａとが並ぶ方向と、第一及び第三パッド部２１ｃ，３１ａと磁性芯部５１とが並ぶ方向とは互いに交差しており、第一及び第三パッド部２１ｃ，３１ａと第二及び第四パッド部２３ｃ，３３ａとが並ぶ方向と、第二及び第四パッド部２３ｃ，３３ａと磁性芯部５１とが並ぶ方向とも互いに交差している。
【００４７】
第一コイル導体２１の第一引出部２１ｂと第二コイル導体２３の第二引出部２３ｂとは、図８に示されるように、積層方向から見て、互いに重なる領域を有していない。すなわち、第一引出部２１ｂと第二引出部２３ｂとは、積層方向で互いに重なり合っていない。第一引出導体３１と第二引出導体３３とは、図８に示されるように、積層方向から見て、互いに重なる領域を有していない。すなわち、第一引出導体３１と第二引出導体３３とは、積層方向で互いに重なり合っていない。第一引出導体３１と第二引出導体３３とは、第一及び第二引出部２１ｂ，２３ｂよりも幅広である。
【００４８】
積層型コモンモードフィルタＣＦ１は、通常、焼成過程を経ることにより得られる。このとき、素体１内に生じる応力に起因して、素体１にクラックが発生する懼れがある。焼成過程では、素体１（非磁性材料及び磁性材料）が焼結して収縮していくタイミングと、素体１内に配置される導体、すなわち第一及び第二コイル導体２１，２３並びに第一及び第二引出導体３１，３３（金属材料）が焼結して収縮していくタイミングが異なるため、素体１に応力が生じる。特に、複数の導体が互いに近づいて配置されている場合、素体１には、各導体に引っ張られる方向に大きな応力が発生するため、素体１にクラックが生じやすい。特に、導体同士が積層方向で互いに重なり合っている場合、素体１同士間の距離が最も短くなり、より大きな応力が発生し易い。
【００４９】
本実施形態では、第一引出部２１ｂと第二引出部２３ｂとは、積層方向から見て、互いに重なる領域を有していない。このため、第一引出部２１ｂと第二引出部２３ｂとが離れて位置することとなり、素体１における第一引出部２１ｂと第二引出部２３ｂとの間に位置する領域に発生する応力が小さくなる。この結果、積層型コモンモードフィルタＣＦ１では、素体１にクラックが発生するのを抑制することができる。
【００５０】
本実施形態では、第一及び第二引出導体３１，３３が、第一及び第二引出部２１ｂ，２３ｂよりも幅広であるため、積層型コモンモードフィルタＣＦ１の直流抵抗を低減することができる。
【００５１】
第一引出導体３１は、第一コイル導体２１の内側端に対応する位置から第二側面１ｄまで伸び、第二引出導体３３は、第二コイル導体２３の内側端に対応する位置から第二側面１ｄまで伸びている。第一及び第二引出導体３１，３３が幅広であることにより、焼成過程において、収縮する量が大きくなり素体１に大きな応力が生じる可能性がある。しかしながら、第一及び第二引出導体３１，３３は、対応するコイル導体２１，２３の内側端に対応する位置から第二側面１ｄまでの比較的広い範囲にわたって配置されるため、生じる応力が分散され、応力が集中するのを抑制することができる。この結果、クラックが素体１に発生し難い。
【００５２】
第一及び第二引出部２１ｂ，２３ｂは、対応するコイル部２１ａ，２３ａの外側端から第一側面１ｃまでの比較的狭い範囲にわたって配置されるため、第一及び第二引出部２１ｂ，２３ｂが幅広とされた場合、応力が集中し、素体１にクラックが発生する懼れがある。しかしながら、積層型コモンモードフィルタＣＦ１では、第一及び第二引出導体３１，３３が第一及び第二引出部２１ｂ，２３ｂよりも幅広である、すなわち、第一及び第二引出部２１ｂ，２３ｂが第一及び第二引出導体３１，３３よりも幅狭であることから、生じる応力が小さく、また、上述したように、第一引出部２１ｂと第二引出部２３ｂとが離れて位置していることから、クラックが素体１に発生し難い。
【００５３】
本実施形態では、素体１は、非磁性体部３と、非磁性体部３を積層方向で挟むよう配置される一対の磁性体部５と、積層方向から見て第一及び第二コイル導体２１，２３の内側に位置するように非磁性体部３に配置される磁性芯部５１と、を有している。これにより、積層型コモンモードフィルタＣＦ１では、第一コイル導体２１と第二コイル導体２３との間の磁気結合をより一層高めることができる。
【００５４】
本実施形態では、上述したように、第一引出部２１ｂと第二引出部２３ｂとは、積層方向から見て、互いに重なる領域を有していない。このため、第一コイル導体２１と第二コイル導体２３との間に発生する浮遊容量が小さく、積層型コモンモードフィルタＣＦ１の高周波特性を向上することができる。
【００５５】
本実施形態では、上述したように、第一引出導体３１と第二引出導体３３とは、積層方向から見て、互いに重なる領域を有していないと共に、積層方向から見て、互いに離れて位置している。これらにより、第一引出導体３１と第二引出導体３３とは幅広とされているものの、第一引出導体３１と第二引出導体３３との間に発生する浮遊容量が小さい。したがって、積層型コモンモードフィルタＣＦ１の高周波特性を向上することができる。
【００５６】
本実施形態では、第一引出導体３１と第二引出導体３３とは、積層方向に見て、互いに離れて位置している。このことによっても、素体１における第一引出導体３１と第二引出導体３３との間に位置する領域に発生する応力が小さくなる。この結果、積層型コモンモードフィルタＣＦ１では、素体１にクラックが発生するのを抑制することができる。
【００５７】
第一コイル導体２１と第二コイル導体２３との間の磁気結合を高めるために、たとえば、第一引出部２１ｂの第一部分２１ｂ１と第二引出部２３ｂの第一部分２３ｂ１とを積層方向で重なり合わせる構成を採用することが考えられる。しかしながら、第一部分２１ｂ１と第一部分２３ｂ１とは、磁性芯部５１からの磁束に沿う方向に延びているので、第一部分２１ｂ１と第一部分２３ｂ１とが積層方向で重なり合わせる構成は、第一コイル導体２１と第二コイル導体２３との間の磁気結合を高めることには寄与し難い。
【００５８】
続いて、図９〜図１１を参照して、第一及び第二コイル導体２１，２３の変形例の構成を説明する。図９は、第一コイル導体の変形例を示す平面図である。図１０は、第二コイル導体の変形例を示す平面図である。図１１は、第一コイル導体の変形例と第二コイル導体の変形例とを重ねて示した図である。本変形例では、第一コイル導体２１の第一引出部２１ｂの長さと、第二コイル導体２３の第二引出部２３ｂの長さと、が同等に設定されている。
【００５９】
本変形例では、第一引出部２１ｂの第一部分２１ｂ１が、積層方向から見て、第一端子電極１１と第二端子電極１２との間の中点を通り且つ第一端子電極１１と第二端子電極１２とが並ぶ方向に直交する方向に延びる直線ｌ上に位置している。これにより、第一及び第二引出部２１ｂ，２３ｂのパターン（形状）を複雑にすることなく、第一引出部２１ｂの長さと第二引出部２３ｂとの長さを確実に同等に設定できる。
【００６０】
第一コイル導体２１の第一引出部２１ｂの長さと、第二コイル導体２３の第二引出部２３ｂの長さと、が同等に設定されていると、第一コイル導体２１と第二コイル導体２３とで、その線路長にばらつきが生じ難い。これにより、第一コイル導体２１と第二コイル導体２３との特性バラつき（たとえば、インピーダンスのばらつきなど）が生じるのを抑制することができる。
【００６１】
以上、本発明の好適な実施形態について説明してきたが、本発明は必ずしも上述した実施形態に限定されるものではなく、その要旨を逸脱しない範囲で様々な変更が可能である。
【００６２】
第一及び第二コイル導体２１，２３並びに第一及び第二引出導体３１，３３の形状は、上述した実施形態及び変形例にて示された形状に限られない。磁性芯部５１は、非磁性体部３を貫通していなくてもよい。
【００６３】
本発明は、図１２及び図１３に示されるように、複数対の第一及び第二コイル導体２１，２３を備える積層型コモンモードフィルタ、いわゆる積層型コモンモードフィルタアレイＣＦ２にも適用できる。積層型コモンモードフィルタアレイＣＦ２においても、素体１にクラックが発生するのを抑制することができると共に、直流抵抗を低減することができる。
【符号の説明】
【００６４】
１…素体、３…非磁性体部、５…磁性体部、１１…第一端子電極、１２…第二端子電極、１３…第三端子電極、１４…第四端子電極、２１…第一コイル導体、２１ａ…第一コイル部、２１ｂ…第一引出部、２１ｂ１…第一部分、２１ｂ２…第二部分、２３…第二コイル導体、２３ａ…第二コイル部、２３ｂ…第二引出部、２３ｂ１…第三部分、２３ｂ２…第四部分、３１…第一引出導体、３３…第二引出導体、４１…第一スルーホール導体、４３…第二スルーホール導体、５１…磁性芯部、ＣＦ１…積層型コモンモードフィルタ、ＣＦ２…積層型コモンモードフィルタアレイ。
【図１】
2015035464.tif 000003
【図２】
2015035464.tif 000004
【図３】
2015035464.tif 000005
【図４】
2015035464.tif 000006
【図５】
2015035464.tif 000007
【図６】
2015035464.tif 000008
【図７】
2015035464.tif 000009
【図８】
2015035464.tif 000010
【図９】
2015035464.tif 000011
【図１０】
2015035464.tif 000012
【図１１】
2015035464.tif 000013
【図１２】
2015035464.tif 000014
【図１３】
2015035464.tif 000015